(57)【特許請求の範囲】
【請求項１】
任意台数のスピーカユニットが上下方向に結合されると共に該スピーカユニットの台数およびそれぞれの該スピーカユニットの指向角度が変更されることによって全体の重心位置が変化することのあるアレイスピーカを設置するための設置具において、
基部に設けられた線状の第１レール部と、
上記第１レール部に沿って移動可能な状態に該第１レール部に結合されると共に該第１レール部に沿う方向が上記アレイスピーカの前後方向となるように該アレイスピーカが取り付けられる第１取付部と、
上記第１レール部に上記第１取付部を固定する第１固定手段と、
を具備し、
複数組の上記アレイスピーカが複数組の上記第１取付部を介して共通の上記第１レール部に取り付け可能であり、
さらに、車輪を備えること、
を特徴とする、アレイスピーカ用設置具。
【請求項２】
上記第１取付部は潤滑性部材を介して上記第１レール部に沿って摺動可能とされた、
請求項１に記載のアレイスピーカ用設置具。
【請求項３】
上記第１レール部は上記アレイスピーカが位置する側の第１面と該アレイスピーカが位置する側とは反対側の第２面とを有し、
上記第１取付部は互いに対向する第３面と第４面とを有すると共に該第３面と該第４面との間に上記第１面と上記第２面とを挟むことによって上記第１レール部に結合され、
互いに対向する上記第１面と上記第３面との間および互いに対向する上記第２面と上記第４面との間に上記潤滑性部材が設けられた、
請求項２に記載のアレイスピーカ用設置具。
【請求項４】
上記第１レール部とは別に上記基部に設けられた線状の第２レール部と、
上記第２レール部に沿って移動可能な状態に該第２レール部に結合されると共に上記アレイスピーカの設置対象である高所部に取り付けられる第２取付部と、
上記第２レール部に上記第２取付部を固定する第２固定手段と、
をさらに備える、請求項１ないし３のいずれかに記載のアレイスピーカ用設置具。
【発明の詳細な説明】
【技術分野】
【０００１】
本発明は、アレイスピーカ用設置具に関し、特に、任意台数のスピーカユニットの組合せから成るアレイスピーカを設置するための設置具に関する。
【背景技術】
【０００２】
この種のアレイスピーカ用設置具として、従来、例えば非特許文献１に開示されたものがある。この従来技術によれば、図７に示すように、基台としての車輪付フレーム１に、Ａ組およびＢ組という２組の取付孔２，２，…が設けられている。ここで、例えば、同図（ａ）に示すように、Ａ組の取付孔２，２，…に専用のプレート３，３，…を介してアレイスピーカ４が取り付けられた場合、当該アレイスピーカ４は、フレーム１に対して前寄りの位置に置かれる。一方、同図（ｂ）に示すように、Ｂ組の取付孔２，２，…に取り付けられた場合は、アレイスピーカ４は、フレーム１の略中央位置に置かれる。なお、図には示さないが、フレーム１の向きが前後逆方向とされた上で、Ａ組の取付孔２，２，…にアレイスピーカ４が取り付けられた場合には、当該アレイスピーカ４は、フレーム１の後寄りに置かれる。このように、フレーム１に対するアレイスピーカ４の取付位置が変更可能とされているので、例えばアレイスピーカ４を構成するスピーカシステム５，５，…の台数や当該スピーカシステム５，５，…それぞれの指向角度が変更されることによってアレイスピーカ４全体の重心位置が変化したとしても、これに適宜に対応することができ、設置の安定化を図ることができる。
【０００３】
【非特許文献１】ティーオーエー株式会社製「ラインアレイスピーカー：リギングフレーム（屋内用）ＳＲ−ＲＦ１２」、［online］、［２００７年１１月１６日検索］、インターネット＜URL;http://www.toa.co.jp/products/sr-rf12.htm＞
【発明の開示】
【発明が解決しようとする課題】
【０００４】
しかし、上述の従来技術において、フレーム１に対するアレイスピーカ４の取付位置を変更する場合、作業者は、まず、全てのスピーカシステム５，５，…を１台ずつ取り外し、その後に、各プレート３，３，…を希望の組の取付孔２，２，…に付け直す。その際、各プレート３，３，…をフレーム１に固定するためのボルト６，６，…の脱着が必要になる。そして、これらのプレート３，３，…を介して、改めて各スピーカシステム５，５，…を１台ずつ取り付けることになる。このような作業を行うことは、言うまでもなく面倒であり、特にイベント等の仮設用途においては、アレイスピーカ４の組み立ておよび解体が繰り返されるために、この問題は顕著になる。しかも、スピーカシステム５，５，…の１個当たりの重量は、十数［ｋｇ］〜数十［ｋｇ］もあるので、このような重いスピーカシステム５，５，…を積み降ろしするのは、非常に重労働であり、危険も伴う。
【０００５】
そこで、本発明は、基台に対するアレイスピーカの取付位置を従来よりも極めて容易かつ安全に変更することができるアレイスピーカ用設置具を提供することを、目的とする。
【課題を解決するための手段】
【０００６】
この目的を達成するために、本発明は、任意台数のスピーカユニットの組合せから成るアレイスピーカを設置するための設置具において、基部に設けられた線状の第１レール部と、この第１レール部に沿って移動可能な状態に当該第１レール部に結合されると共にアレイスピーカが取り付けられる第１取付部と、第１レール部に第１取付部を固定する第１固定手段と、を具備するものである。
【０００７】
即ち、本発明では、基部に、線状、例えば直線状、の第１レール部が設けられている。そして、この第１レール部に、第１取付部が結合され、当該第１取付部に、アレイスピーカが取り付けられる。つまり、アレイスピーカは、第１取付部を介して、第１レール部に取り付けられ、ひいては基部に取り付けられる。ここで、第１取付部は、第１レール部に沿って移動可能とされている。そして、第１取付部は、第１固定手段によって、第１レール部に固定される。
【０００８】
なお、第１取付部は、潤滑性部材を介して第１レール部に沿って摺動可能とされることにより、移動可能とされてもよい。
【０００９】
この場合、例えば、第１レール部は、アレイスピーカが位置する側に面した第１面と、当該アレイスピーカが位置する側とは反対側に面した第２面と、を有するものとする。そして、第１取付部は、互いに対向する第３面と第４面とを有すると共に、これら第３面と第４面との間に当該第１レール部の第１面と第２面とを平行に挟み込むことによって、第１レール部に結合されるものとする。そして、第１レール部の第１面と第１取付部の第３面とが対向し、第１レール部の第２面と第１取付部の第４面とが対向する、とすると、これら互いに対向する第１面と第３面との間、ならびに第２面と第４面との間、のそれぞれに、潤滑性部材を介在させる。このようにすれば、基部の上方にアレイスピーカを取り付けるといういわゆる据え置き型の態様と、基部の下方にアレイスピーカを取り付けるといういわゆる吊り下げ型の態様と、の両方において、第１レール部に対して第１取付部を摺動させることができる。
【００１０】
また、本発明においては、複数組のアレイスピーカに対応する複数組の第１取付部が、共通の第１レール部に結合されてもよい。このようにすれば、共通の第１レール部に、複数組の第１取付部を介して、複数組のアレイスピーカを取り付けることができる。
【００１１】
さらに、アレイスピーカを天井やクレーン等の高所部に取り付ける場合には、基部に、第１レール部とは別の線状の第２レール部を設け、この第２レール部に第２取付部を結合し、この第２取付部を直接、またはワイヤロープ等の何らかの吊り下げ手段を介して、高所部に取り付けるのが、望ましい。このとき、第２取付部を第２レール部に沿って移動可能とすれば、高所部に対する第２レール部の取付位置、ひいては基部の取付位置、を容易に変更することができる。これは、アレイスピーカの吊り下げバランスを調整する際に、極めて有益である。そして、この場合、第２レール部に第２取付部を固定するための第２固定手段を備えるものとする。
【発明の効果】
【００１２】
上述したように、本発明によれば、基部に、第１レール部が設けられており、この第１レール部に、第１取付部を介して、アレイスピーカが取り付けられる。そして、第１取付部は、第１レール部に沿って移動可能とされている。つまり、アレイスピーカは、第１取付部を介して、第１レール部に取り付けられ、ひいては基部に取り付けられたままの状態で、当該第１レール部に沿って移動可能とされている。従って、上述した従来技術に比べて、基部に対するアレイスピーカの取付位置を極めて容易かつ安全に変更することができる。
【発明を実施するための最良の形態】
【００１３】
本発明の一実施形態について、図１〜図６を参照して説明する。
【００１４】
図１に示すように、本実施形態に係る設置具１０は、任意台数のスピーカシステム１００，１００，…の組合せから成るラインアレイスピーカ２００を設置するためのものであり、基部としてのフレーム３０と、このフレーム３０の一構成要素である第１レール部としての２本１組のサイドレール（以下、単にレールと言う。）３２および３２と、これらのレール３２および３２それぞれに２個ずつ結合されている第１取付部としての４個１組のスライド金具５０，５０，…と、を備えている。なお、ラインアレイスピーカ２００は、２個１組の中継金具３００および３００を介して、各スライド金具５０，５０，…に取り付けられ、ひいては設置具１０に取り付けられる。
【００１５】
図２を参照して、より詳しく説明すると、レール３２および３２は、直線状の金属製角パイプによって形成されている。これらのレール３２および３２は、ラインアレイスピーカ２００（スピーカシステム１００）の幅寸法に応じた距離を置いて互いに平行を成しており、それぞれの両端は、金属製角パイプによって形成された１対の連結部３４および３４に対して直角に結合され、例えば溶接されている。また、各レール３２および３２の間には、これらと平行を成した状態で第２レール部としてのセンタレール３６が設けられており、このセンタレール３６の両端もまた、各連結部３４および３４に対して直角に結合されている。
【００１６】
なお、各々の連結部３４の両端には、それぞれ転倒防止用のアウトリガ３８のアーム部４０が挿入可能とされている。このアーム部４０もまた、金属製角パイプによって形成されており、連結部３４に挿入されているときは、図示上では判り難いが、一般に知られているクイックリリースピン４２によって、当該連結部３４に固定される。また、連結部３４の両端近傍の底部には、それぞれ車輪４４が取り付けられている。
【００１７】
さらに、各々のレール３２の側面には、一定の間隔、例えば数［ｃｍ］間隔で、複数の貫通孔４６，４６，…が穿設されている。この貫通孔４６，４６，…は、上述とは別の後述するクイックリリースピン２０と共に、スライド金具５０をレール３２に固定するための第１固定手段として機能する。なお、センタレール３６の側面にも、同様の貫通孔４８，４８，…が穿設されている。
【００１８】
スライド金具５０は、図３に示すように、凹状に屈曲形成された収容部５２と、この収容部５２の内部空間にレール３２が収容された状態で当該内部空間を覆うべく収容部５２よりも少し小さめの凹状に屈曲形成された被覆部５４と、これら収容部５２および被覆部５４によって強固に挟持された概略平板状のジョイント５６と、を有している。そして、このジョイント５６に、上述した中継金具３００が取り付けられ、ひいてはラインアレイスピーカ２００が取り付けられる。なお、ジョイント５６は、例えば図２から分かるように、同じ組を成すスライド金具５０，５０，…間で異なる形状とされている。これは、各スピーカシステム１００，１００，…を組み合わせてラインアレイスピーカ２００を構成する際の利便性を考慮したものであるが、これについては、本発明の本旨に直接関係しないので、ここでは、具体的な説明を省略する。
【００１９】
さらに、収容部５２の内部空間を構成する各壁面のうち、凹状の底部に当たる面には、潤滑性部材としてのスムーザ５８が設けられている。このスムーザ５８としては、潤滑性のみならず耐摩耗性，耐衝撃性，耐熱性等をも兼ね備えている硬質樹脂が望ましく、例えば一般に知られているＰＯＭ（Polyoxymenthylene）が好適である。そして、このスムーザ５８と対向するように、被覆部５４側にも、同様のスムーザ６０が設けられている。これにより、収容部５２および被覆部５４を含むスライド金具５０は、これらのスムーザ５８および６０を介して、レール３２に結合された状態になる。言い換えれば、レール３２の上面（第１面）および下面（第２面）を、その上下方向から挟み込むように、収容部５２および被覆部５４が取り付けられる。そして、レール３２の上面に対しては、スムーザ６０を介して、被覆部５４の外部側底面（第３面）が接触する。一方、レール３２の下面に対しては、スムーザ５８を介して、収容部５２の内部側底面（第４面）が接触する。
【００２０】
また、収容部５２の各壁面のうち、凹状の側部に当たる面には、レール３０の側面に穿設された貫通孔４６および４６と連続する貫通孔６２および６２が穿設されている。そして、これらの貫通孔６２，４６，４６および６２を通して、クイックリリースピン２０が挿脱可能とされている。
【００２１】
なお、収容部５２の貫通孔４６および４６が穿設されている面の一方と、被覆部５４の凹状の側部に当たる一方の面とは、２組のボルト６４およびナット６６によって、互いに固定されている。そして、他方の面同士は、それらの間にジョイント５６を挟むと共に、当該ジョイント５６をも通して、別の２組のボルト６８およびナット７０によって、互いに固定されている。また、これら収容部５２，被覆部５４およびジョイント５６には、スライド金具５０の向きを示すための例えば概略三角矢印状の貫通孔７０が、一貫して穿設されている。
【００２２】
このように、本実施形態の設置具１０によれば、基部としてのフレーム３０に、直線状のレール３２および３２が設けられており、これらのレール３２および３２に、各スライド金具５０，５０，…が結合されている。そして、それぞれのスライド金具５０は、スムザ５８および６０を介して、レール３２に結合されているので、当該レール３２に沿って摺動可能とされている。その一方で、スライド金具５０は、クイックリリースピン２０によって、レール３２上の各貫通孔４６，４６，…が穿設されている位置のいずれかに、固定可能とされている。そして、これらのスライド金具５０，５０，…に、ラインアレイスピーカ２００が取り付けられる。つまり、図４に示すように、ラインアレイスピーカ２００は、各スライド金具５０，５０，…を介して、各レール３２および３２に取り付けられ、ひいてはフレーム１０に取り付けられたままの状態で、当該各レール３２および３２に沿って（手動により）移動可能とされている。そして、各貫通孔４６，４６，…が穿設されているいずれかの位置に、任意に固定可能とされている。従って、フレーム１に対するアレイスピーカ４の取付位置を変更する際に、全てのスピーカシステム５，５，…を積み降ろしすると共に、取付部としての各プレート３，３，…をフレーム１に付け直す必要がある上述した従来技術に比べて、極めて容易かつ安全に、フレーム３０に対するラインアレイスピーカ２００の取付位置を変更することができる。
【００２３】
なお、本実施形態の設置具１０においては、同じレール３２および３２に複数組のスライド金具５０，５０，…を取り付けることができる。このようにすれば、例えば図５に示すように、複数組（同図では２組）のラインアレイスピーカ２００および２００を設置具１０に取り付けることができ、運搬時等に非常に便利である。また、比較的に規模の大きい（つまりスピーカシステム１００，１００，…の組合せ台数が比較的に多い）１組のラインアレイスピーカ２００を、幾つかに分解して運搬するのにも、利用できる。さらに、ラインアレイスピーカ２００とは別の種類のスピーカを運搬するのにも、利用できる。
【００２４】
また、本実施形態の設置具１０は、図６に示すように、いわゆる吊り下げ型としても、使用することができる。この場合は、センタレール３６に、上述したのと同様の２個１組の第２取付部としてのスライド金具８０および８０が取り付けられる。そして、このスライド金具８０および８０に、図示しない天井またはクレーン等の高所部から垂下されたワイヤロープ等の適宜の吊り下げ手段が結合される。このように、吊り下げ手段が結合される部分についても、同様のスライド金具８０および８０を介して、センタレール３６に結合され、ひいては設置具１０に結合されるようにすることで、当該設置具１０に対する吊り下げ手段の結合位置を容易に変更することができる。このことは、ラインアレイスピーカ２００の吊り下げバランスを調整する際等に、極めて有益である。しかも、吊り下げ用のセンタレール３６が、他のレール３２および３２とは別個に設けられているので、当該バランス調整等の自由度が向上する。なお、センタレール３６に対するそれぞれのスピーカ金具８０の固定には、上述と同様の第２固定手段としてのクイックリリースピン９０が用いられる。勿論、各レール３２および３２を吊り下げ用として兼用することもできる。
【００２５】
このように本実施形態の設置具１０を据え置き型としてのみならず、吊り下げ型としても使用できるのは、上述の如くレール３２の上面および下面が、スムーザ５８および６０を介して、スライド金具５０の収容部５２および被覆部５４によって上下から挟み込まれる構造とされているからである。このことは、このことは、センタレール３６とスライド金具８０との関係についても、同様である。
【００２６】
本実施形態においては、各レール３２および３２，並びにセンタレール３６を直線状としたが、極端には、弓状やアーチ状，Ｓ字状等の曲線状としてもよい。
【００２７】
また、スライド金具５０側に、潤滑性部材としてのスムーザ５８および６０を設けたが、これをレール３２側に設けてもよい。特に、当該潤滑部材を両方に設ければ、両者間の摩擦係数がさらに低減され、摺動性がさらに向上し、ひいては作業性が向上する。このことは、センタレール３６とスライド金具８０との関係についても、同様である。
【００２８】
そして、本実施形態では、潤滑性部材として、ＰＯＭ等の硬質樹脂を例に挙げたが、これ以外のものを採用してもよい。極端には、コロや高粘度の潤滑剤等を採用してもよい。
【図面の簡単な説明】
【００２９】
【図１】本発明の一実施形態に係る設置具の使用状態を示す斜視図である。
【図２】同設置具の全体的な構造を示す図である。
【図３】図２におけるスライド金具の詳細な構造を示す図である。
【図４】同実施形態において設置具に対するアレイスピーカの取付位置が変更された状態を横方から見た図解図である。
【図５】同実施形態の別の使用状態を示す斜視図である。
【図６】図５とはさらに別の使用状態を示す斜視図である。
【図７】従来技術の使用状態を横方から見た図解図である。
【符号の説明】
【００３０】
１０  設置具
２０  クイックリリースピン
３０  フレーム
３２  レール
５０  スライド金具
１００  スピーカシステム
２００  ラインアレイスピーカ
【図１】
0005065863.tif 000002
【図２】
0005065863.tif 000003
【図３】
0005065863.tif 000004
【図４】
0005065863.tif 000005
【図５】
0005065863.tif 000006
【図６】
0005065863.tif 000007
【図７】
0005065863.tif 000008